(57)【要約】【課題】  鋳造に用いる注湯口であって、注湯時に湯こぼれがし難くかつ異物の巻込みの少ない注湯口を提供する。【解決手段】鋳型上面に形成される湯口カップ上面がほぼ四角形又は四角形の一辺が半円状であって、湯口下面が湯口上面とほぼ相似形であり、かつ注湯する時の注湯取鍋側と向い側の面の角度及び注湯カップの向い側の面から湯口棒中心までの距離を規定した。【選択図】図１
0003174835.tif 000002
【実用新案登録請求の範囲】
【請求項１】
鋳造に用いる注湯口であって、湯口カップと湯口棒から構成されており、鋳型上面に形成される湯口カップ上面がほぼ四角形又は四角形の一辺が半円状であって、湯口カップ下面が湯口カップ上面とほぼ相似形であって、注湯取鍋側の湯口カップ側面が鋳型上面となす角度が１３０度より大きく、注湯取鍋の向い側の湯口カップ側面が鋳型上面となす角度が１１０度より小さく、かつ注湯取鍋の向い側の湯口カップ側面から湯口棒の中心までの距離が湯口棒直径の２倍より小さいことを特徴とする注湯口。
【考案の詳細な説明】
【考案の詳細な説明】
【産業上の利用分野】
【０００１】  本考案は、鋳造に用いる注湯口であって、注湯時に湯こぼれ及び異物の巻込みの少ない注湯口に関するものである。
【背景技術】
【０００２】  鋳造においては、溶湯を鋳型内に注湯するには適宜の形状の注湯口が用いられている。ここでは、注湯口は湯口カップと湯口棒から構成されているとする。本考案はこの注湯口の改良に関するものである。【０００３】  注湯口は溶湯を湯口カップから湯口棒を通して流し、続いて湯道を通して鋳物製品部に溶湯を充填するというのが基本機能である。この際、注湯口に要求される機能は、ひとつは注湯された溶湯が湯口カップからこぼれないようにすることである。もうひとつの機能は、注湯口において溶湯の流れを調整してノロなどの異物を補足することである。そのため昔から、いくつかの形状が提案されて現場ノウハウとして使われている。これらの手段は簡便であるが、いずれも決定的な方法ではなく、試行錯誤で用いられている。【０００４】
【特許文献１】  特開平４−２５５３７
【特許文献２】  実願平３−１１３６４２
【特許文献３】  特開２００６−３２６６６６
【特許文献４】  特開２００５−１９３２６３
【特許文献５】  特開２００２−３１６２３８
【特許文献６】  特開平１０−５２７３７
【特許文献７】  特開平９−２７１８９１
【考案が解決しようとする課題】
【０００５】  注湯口に求められる機能は上記の通りで、湯こぼれの防止及びノロなどの異物の補足である。従来技術の注湯口の形状を図３及び図４に示す。いずれの場合もその特徴は、ひとつは湯口カップの形状は上面から見ると円形状のお椀型であること。もうひとつは、湯口カップと湯口棒がほぼ同心で連結されていることである。
【０００６】  このような従来技術の注湯口では次のような問題点がある。ひとつは、円形状のお椀型になっているため、注湯された溶湯は円形状に沿って回転渦を発生し易いため、注湯された溶湯の落下点が湯口棒から少しでもずれると湯口カップから外に湯こぼれが生じ易いという溶湯こぼれの防止の面での問題点がある。また、注湯取鍋から流入した異物は回転渦に沿って流れて溶湯との比重差によって渦の中心部に集まり、湯口棒の方へ流れ込むことになり、異物の除去という機能の面で問題がある。さらに、回転渦が発生し易いので湯口棒へ流れ込む時間も延びる。
【０００７】  本考案では、上記のような課題を解決するために、湯こぼれ及び異物の巻込みの少ない新規な注湯口を提供するものである。
【課題を解決するための手段】
【０００８】  鋳造に用いる注湯口であって、湯口カップと湯口棒から構成されており、鋳型上面に形成される湯口カップ上面がほぼ四角形又は四角形の一辺が半円状であって、湯口カップ下面が湯口カップ上面とほぼ相似形であって、注湯取鍋側の湯口カップ側面が鋳型上面となす角度が１３０度より大きく、注湯取鍋の向い側の湯口カップ側面が鋳型上面となす角度が１１０度より小さく、かつ注湯取鍋の向い側の湯口カップ側面から湯口棒の中心までの距離が湯口棒の直径の２倍より小さいことを特徴とする注湯口である。以下詳細に説明する。
【作用】
【０００９】  本考案では、３つの考案要素を含んでいる。まずひとつは、鋳型上面に形成される湯口上面がほぼ四角形又は四角形の一辺が半円状であって、湯口下面が湯口上面とほぼ相似形とした。これによって、従来技術の円形状のお椀型の注湯口とは異なって、溶湯はほぼ四角形の湯口カップに注湯されるので、回転渦が発生する確率が大幅に低減される。この結果、取鍋から流入した異物は渦の中心部に集まって湯口棒の方へ流れ込むということがなくなり湯口カップで浮上分離され易くなる。すなわち、異物の巻込みが少なくなる。また、回転渦が発生しにくいので、溶湯が湯口カップからこぼれ出ることが少なくなる。
【００１０】  本考案の２つめの考案要素は、注湯する時の注湯取鍋側の湯口カップ側面及び注湯取鍋の向い側の湯口カップ側面の傾斜角度を次のように規定したことである。すなわち、注湯取鍋側の湯口カップ側面が鋳型上面となす角度が１３０度より大きく、注湯取鍋の向い側の湯口カップ側面が鋳型上面となす角度が１１０度より小さくした。これによって、注湯された溶湯は傾斜の緩やかな注湯取鍋側の湯口カップ側面に当って滑らかに注湯取鍋の向い側の湯口カップ側面へ向かって流れる。次に傾斜のきつい注湯取鍋の向い側の湯口カップ側面に当って溶湯が湯口カップから飛び出すことなく流れの方向を変え湯口棒に向かって流入し易くなっている。このことでも注湯された溶湯が湯口カップカップからこぼれ出ることが少なくなる。
【００１１】  本考案の３つめの考案要素は、湯口カップと湯口棒が同心で連結されることはなく、かつ湯口棒の位置が注湯取鍋の向い側の湯口カップ側面から遠くならないようにした。すなわち、注湯取鍋の向い側の湯口カップ側面から湯口棒の中心までの距離が湯口棒の直径の２倍より小さくした。これによって注湯された溶湯は注湯取鍋の向い側の湯口カップ側面に当って速やかに湯口棒に流入する。このことでも注湯された溶湯が回転渦を発生せず湯口カップからこぼれ出ることが少なくなる。
【００１２】  上記のように本考案では、３つの考案要素によって、従来の注湯口では注湯された溶湯が渦を巻き、溶湯がこぼれ易い及び異物が巻込み易いという問題点を大幅に改善できる。また、溶湯に回転渦が生じないので注湯時間も短縮される。以下実施例において詳細に説明する。
【実施例１】
【００１３】  図１は本考案の実施例１の上面図及び断面図である。本実施例では、鋳型上面４に形成される湯口カップ上面５がほぼ四角形の場合について説明する。注湯口１は湯口カップ２と湯口棒３から構成されている。鋳型上面４から見た湯口カップ上面５は適宜の隅Ｒが付いているがほぼ四角形であり、湯口カップ下面６が湯口カップ上面５とほぼ相似形である。注湯は注湯取鍋９によって行われるとして、注湯取鍋側の湯口カップ側面７と鋳型上面４との角度Ａ１を１３０°より大きく、注湯取鍋の向い側の湯口カップ側面８と鋳型上面４との角度Ａ２を１１０°より小さく、かつ注湯取鍋の向い側の湯口カップ側面８から湯口棒３の中心までの距離Ｂが湯口棒３の直径Ｄの２倍より小さい構成になっている。以下詳細に説明する。【００１４】  まず湯口カップ上面５は適宜の隅Ｒが付いているがほぼ四角形であり、湯口カップ下面６が湯口上面５とほぼ相似形であることによって、注湯された溶湯は渦を巻くことが少なくなり、取鍋９から流入した異物は湯口棒３に巻込まれることが少なくなった。また、溶湯が渦を巻かないので湯こぼれも少なくなった。【００１５】  次に注湯取鍋側の湯口カップ側面７と鋳型上面４との角度Ａ１を１３０°より大きく、注湯取鍋の向い側の湯口カップ側面８と鋳型上面４との角度Ａ２を１１０°より小さく規定した。これによって、注湯された溶湯は傾斜の緩やかな注湯取鍋側の湯口カップ側面７に当って滑らかに注湯取鍋の向い側の湯口カップ側面８へ向かって流れる。次に傾斜のきつい注湯取鍋の向い側の湯口カップ側面８に当って溶湯が湯口カップ２から飛び出すことなく流れの方向を変え湯口棒３に向かって流入し易くなっている。このことでも注湯された溶湯が湯口カップからこぼれ出ることが少なくなった。【００１６】  さらに注湯取鍋の向い側の湯口カップ側面８から湯口棒３の中心までの距離Ｂが湯口棒３の直径Ｄの２倍より小さく規定した。これによって注湯された溶湯は注湯取鍋の向い側の湯口カップ側面８に当って反転して速やかに湯口棒３に流入する。このことでも注湯された溶湯が回転渦を発生せず湯口カップ２からこぼれる出ことが少なくなった。【００１７】  上記注湯口１の構成理由は次の通りである。湯口カップ上面５は適宜の隅Ｒが付いているがほぼ四角形であり、湯口カップ下面６が湯口上面５とほぼ相似形としたのは、円形では溶湯が渦を巻き易く、四角形が最も渦を巻き難いからである。四角形は基本形状を守りながら適宜の形状変更あるいは凹凸を付けるなどして溶湯の渦の発生をさらに減らすことも可能である。【００１８】  注湯取鍋側の湯口カップ側面７と鋳型上面４との角度Ａ１が１３０°より小さくなると、注湯された溶湯は注湯取鍋側の湯口カップ側面７に当らず湯口下面６に当り、そこで渦を巻き易く溶湯が湯口棒３へ直接流入しにくくなる。注湯取鍋の向い側の湯口カップ側面８と鋳型上面４との角度Ａ２が１１０°より大きいと、注湯された溶湯は注湯取鍋の向い側の湯口カップ側面８から飛び出し易く、湯こぼれが起こり易い。【００１９】  注湯取鍋の向い側の湯口カップ側面８から湯口棒３の中心までの距離Ｂが湯口棒直径Ｄの２倍より大きいと、注湯された溶湯が注湯取鍋の向い側の湯口カップ側面８に当っ���反転しても湯口棒３が遠いので流入するのが遅れる。または、注湯された溶湯が注湯取鍋側の湯口カップ側面７に当ってすぐ湯口棒３に流入し、異物が巻込み易い。【００２０】  なお、湯口上面５近傍の深さＨの部分は適宜の深さとするが、湯こぼれが少ない場合にはなくてもよい。また、湯口カップ下面６と湯口棒３の連結部には適宜のＲあるいは面取りを付けて滑らかなつなぎ方をすることは従来技術の通りでよい。
【実施例２】
【００２１】  図２は本考案の実施例２の上面図である。本実施例では、鋳型上面に形成される湯口上面５がほぼ四角形の一辺が半円状の場合の例である。この半円状の部分の形状も、適宜の変更を加えるあるいは凹凸を付けるなどしても作用効果は同じである。本実施例の注湯口の構成及び得られる作用は実施例１と同じである。
【考案の効果】
【００２２】  以上説明した通り、本考案の注湯口によって次のような効果が得られた。
１．注湯された溶湯に回転渦が発生しにくいので、溶湯が湯口カップからこぼれ出すことが少なくなった。すなわち湯こぼれが少なくなった。
２．回転渦が発生しにくいので、取鍋から流入した異物が渦の中心部に集まって湯口棒の方へ流れ込むことがなくなり、湯口カップで浮上分離され易くなった。すなわち、異物の巻込みが少なくなった。
３．回転渦を発生せず直接的に湯口棒へ流れ込むようになったので、注湯時間が短縮された。
４．上記の効果によって、従来技術の注湯口よりも小さな注湯口で安定した注湯が可能になり、大きな溶湯節減となった。
【図面の簡単な説明】
【図１】  本発明の実施例１の上面図及び断面図である。
【図２】  本発明の実施例２の上面図である。
【図３】  従来技術の上面図及び断面図である。
【図４】  従来技術の上面図及び断面図である。
【符号の説明】１  注湯口
２  湯口カップ
３  湯口棒
４  鋳型上面
５  湯口カップ上面
６  湯口カップ下面
７  注湯取鍋側の湯口カップ側面
８  注湯取鍋の向い側の湯口カップ側面
９  注湯取鍋
【図１】
0003174835.tif 000003
【図２】
0003174835.tif 000004
【図３】
0003174835.tif 000005
【図４】
0003174835.tif 000006